(57)【要約】      （修正有）【課題】容器が紙製品であっても、注出口栓を紙容器に強固に確実に固定でき、また、当該注出口栓を紙容器の任意の位置に取付けることができるようにする。【解決手段】注出口栓Ａの差込部５を紙容器Ｂの頂面部Ｂ−１に突刺して押し込むことにより、三個の差込部位１２のナイフ部が頂面部Ｂ−１を切断することにより、頂面部Ｂ−１に三個の切裂片を形成し、これらの切裂片を押し拡げて差込口を形成し、次に、注出口栓を捻ることにより、切裂片の基部が、ナイフ部に連なる辺縁部に接しながら、この辺縁部と口栓部とがなす楔形状の隙間部に入り込み、注出口栓Ａを紙容器Ｂに固定して注出口栓Ａを紙容器Ｂに装着するようにした。【選択図】図１
2012240752.tif 000002
【特許請求の範囲】
【請求項１】
紙容器の任意の位置に着脱可能に装着される口栓部材を備え、この口栓部材は、前記紙容器に突刺して押し込むことにより、この紙容器の差込み部分に複数の切裂片を形成して、これらの切裂片を押し拡げて貫通し差込口を形成する差込部と、差し込まれた前記口栓部材を捻ることにより前記切裂片を挟持して前記口栓部材を固定する紙容器挟持部を有することを特徴とする注出口栓。
【請求項２】
前記差込部は、
周方向に等間隔をおいて配列された複数個の差込部位を備えており、これらの差込部位のそれぞれの基端側は、前記口栓本体の口栓部に連ねてあり、前記差込部位のそれぞれの先側を結合状態にすることにより、前記差込部は、差込み方向Ｘへ向かうに従って縮径する円錐状をなすものであり、前記差込部には、隣り合う前記差込部位間が開口していて、これらの開口部が周方向に等間隔をおいて存在しており、前記差込部位における注出口栓捻り方向Ｙ側に位置する辺縁部は、それぞれに前記開口部に臨むナイフ部にしてあることを特徴とする請求項１に記載の注出口栓。
【請求項３】
前記紙容器挟持部は、
前記差込部位のそれぞれの基端側を屈曲することにより、この屈曲部における前記ナイフ部に連なる辺縁部と、前記口栓部との間に楔形状の隙間部を形成して構成してあることを特徴とする請求項２に記載の注出口栓。
【発明の詳細な説明】
【技術分野】
【０００１】  本発明は、紙容器に詰められた牛乳、ジュース等の液体飲料を注出する注出口栓に関するものである。
【背景技術】
【０００２】  近年、牛乳、ジュース等の液体飲料を厚紙製の容器に詰めたパック製品の普及が顕著であるが、これら紙容器内の液体飲料を注ぎ出す用具として、紙容器に装着する注出口栓が種々提供されている。【０００３】従来の、この種の注出口栓としては、鍔の上部に抽出口を、下部に、開口部を有する差込栓を設け、この差込栓の外周面に螺旋を形成して構成したものがあり、この差込栓の螺旋をもって差込栓を紙容器に螺入して注出口栓を紙容器に取付け、開口部から抽出口を通して紙容器内の液体飲料を取り出すようにしてある（特許文献１参照）。【０００４】  また、従来の注出口栓としては、差込部材と螺子部材と注出部材とパッキンと栓とを組合せて構成したものがある。差込部材は紙容器を突破って紙容器内に差込まれるものであり、紙容器には差込部材が差込まれることに基づいて差込口を形成する。この差込口は差込部材が紙容器を押し拡げることで形成する。【０００５】  注出部材は紙容器の表面から突出するものであって、注ぎ口を有している。パッキンは紙容器の表面と注出部材との間で弾性的に圧潰されるものである。また、栓は注ぎ口に着脱可能に押込まれるものであり、注ぎ口に押込まれることに基づいて注ぎ口を閉鎖し、注ぎ口から取り外されることに基づいて注ぎ口を開放する。螺子部材は、差込部材に一体化されている。この螺子部材には内周面に位置して雌螺子部が形成してあり、外周面に雄螺子部が形成してある。この雄螺子部は、整形後の差込口に係合することによって注出具のずれ動きを抑制するものである（特許文献２参照）。【０００６】  また、従来の注出口栓としては、破断可能な封止フィルムで封止された注出孔を頂部に有する液体用紙容器に取付けられるものがある。この注出口栓は、注出筒と基部を有するスパウトと、このスパウトを覆うキャップと、スパウトに内蔵され且つキャップの螺旋による上下運動に連動して下上運動する開封刃とからなるものである。そして、スパウトの基部は、容器頂部であって注出孔の近傍に接合されて注出口栓を容器に固定して支持し、スパウトの注出筒は、容器内容物の液体を注ぎ出す通路を形成する。その開封刃は、スパウトに内蔵され且つキャップの開封時の上方運動に連動して下方運動する結果、その開封刃は、注出孔の破断可能な封止フィルムを破断する（特許文献３参照）。
【先行技術文献】
【特許文献】
【０００７】
【特許文献１】  特開平１０−５３２４４号公報
【特許文献２】  特開２００６−２７７２９号公報
【特許文献３】  特開２００４−６７１９５号公報
【発明の概要】
【発明が解決しようとする課題】
【０００８】  特許文献１に開示された注出口栓である差込栓にあっては、注出口栓を紙容器に取付け固定するのに、差込栓に形成された螺旋で差込栓を紙容器に螺入している。しかし、注出口栓は紙製品であるために、螺旋による固定を確実に行なうことができず、差込栓を紙容器に強固に固定することができないという課題があった。【０００９】また、特許文献２に開示された注出口栓である注出具にあっては、差込部材に螺子部材が一体化してあって、この螺子部材の外周面に雄螺子部が形成してあり、差込部材は紙容器を突破って紙容器内に差込まれて紙容器に差込口を形成する。そして、雄螺子部が整形後の差込口に係合することによって注出具のずれ動きを抑制している。しかし、注出具は紙製品であるために、雄螺子部による固定を確実に行なうことができず、注出具を紙容器に強固に固定することができないという課題があった。【００１０】また、特許文献３に開示された注出口栓にあっては、この注出口栓の液体用紙容器への取付箇所が、その頂部にある、封止フィルムで封止された注出孔に限定されており、注出口栓のスパウトの基部が注出孔の近傍に接合され、注出口栓を容器に固定し支持する構成であるために、液体用紙容器の任意の箇所には注出口栓を取付けることができないという課題があった。【００１１】  本発明は上記の課題を解決するものであり、その目的とするところは、容器が紙製品であっても、容器に強固に確実に固定することができ、また、容器の任意の位置に取付けることができる注出口栓を提供することである。
【課題を解決するための手段】
【００１２】  上記の目的を達成するために、本発明に係る注出口栓は、紙容器の任意の位置に着脱可能に装着される口栓部材を備え、この口栓部材は、紙容器に突刺して押し込むことにより、この紙容器の差込み部分に複数の切裂片を形成して、これらの切裂片を押し拡げて貫通し差込口を形成する差込部と、差し込まれた口栓部材を捻ることにより切裂片を挟持して口栓部材を固定する紙容器挟持部を有することを特徴とする。【００１３】  かかる構成により、注出口栓の差込部を紙容器に突刺して押し込むことにより頂面部を切断することによって、紙容器の差込み面部に複数個の切裂片を形成し、これらの切裂片を押し拡げて差込口を形成し、次に、注出口栓を捻ることにより、紙容器挟持部で差込口の切裂片の基部を挟持して注出口栓を紙容器に固定して注出口栓を紙容器に装着することができる。このために、容器が紙製品であっても、当該出口栓を容器に強固に確実に固定することができ、また、当該出口栓を紙容器の任意の位置に取付けることができて、内容物である飲物を確実に注出することができる。【００１４】  また、上記の目的を達成するために、本発明に係る注出口栓は、上記した本発明に係る注出口栓において、差込部は、周方向に等間隔をおいて配列された複数個の差込部位を備えており、これらの差込部位のそれぞれの基端側は、口栓本体の口栓部に連ねてあり、差込部位のそれぞれの先側を結合状態にすることにより、差込部は、差込み方向Ｘへ向かうに従って縮径する円錐状をなすものであり、差込部には、隣り合う差込部位間が開口していて、これらの開口部が周方向に等間隔をおいて存在しており、差込部位における注出口栓捻り方向Ｙ側に位置する辺縁部は、それぞれに開口部に臨むナイフ部にしてあることを特徴とする。【００１５】  かかる構成により、注出口栓の差込部を紙容器の、例えば、頂面部に突刺して押し込むことにより、複数個の差込部位のナイフ部が頂面部を切断することによって、頂面部に複数個の切裂片を形成し、これらの切裂片を押し拡げて差込口を形成し、次に、注出口栓を捻ることにより、紙容器挟持部で差込口の切裂片の基部を挟持して注出口栓を紙容器に固定して注出口栓を紙容器に装着することができる。このために、容器が紙製品であっても、当該出口栓を容器に強固に確実に固定することができ、また、当該出口栓を紙容器の任意の位置に取付けることができて、内容物である飲物を確実に注出することができる。【００１６】  また、上記の目的を達成するために、本発明に係る注出口栓は、上記した本発明に係る注出口栓において、紙容器挟持部は、その差込部位のそれぞれの基端側を屈曲することにより、この屈曲部におけるナイフ部に連なる辺縁部と、口栓部との間に楔形状の隙間部を形成して構成してあることを特徴とする。【００１７】  かかる構成により、注出口栓の差込部を紙容器の、例えば、頂面部に突刺して押し込むことにより、複数個の差込部位のナイフ部が頂面部を切断することによって、頂面部に複数個の切裂片を形成し、これらの切裂片を押し拡げて差込口を形成し、次に、注出口栓を捻ることにより、切裂片の基部が、ナイフ部に連なる辺縁部に接しながら、この辺縁部と口栓部とがなす楔形状の隙間部に入り込み、注出口栓を紙容器に固定して注出口栓を紙容器に装着することができる。このために、容器が紙製品であっても、当該出口栓を容器に強固に確実に固定することができ、また、当該出口栓を紙容器の任意の位置に取付けることができて、内容物である飲物を確実に注出することができる。
【発明の効果】
【００１８】  本発明に係る注出口栓によれば、容器が紙製品であっても、この紙容器に強固に確実に固定することができ、また紙容器の任意の位置に取付けることができて、内容物である飲物を確実に注出することができるという効果を有する。
【図面の簡単な説明】
【００１９】
【図１】本発明に係わる注出口栓を紙容器に装着した状態を示す一部破断した説明図である。
【図２】本発明に係わる注出口栓の正面図である。
【図３】同注出口栓における蓋体の取付状態を示す斜視図である。
【図４】同注出口栓の分解状態を示す斜視図である。
【図５】同注出口栓における口栓部材の斜視図である。
【図６】同口栓部材の正面図である。
【図７】同口栓部材の平面図である。
【図８】同口栓部材の縦断面図である。
【図９】同口栓部材の紙容器への固定状態を示す説明図である。
【発明を実施するための形態】
【００２０】  注出口栓を紙容器に強固に確実に固定することができ、また紙容器の任意の位置に取付けることができて、内容物である飲物を確実に注出することができるという目的を、注出口栓の差込部を紙容器に突刺して押し込むことにより紙容器の面部を切断して、紙容器の差込み面部に複数個の切裂片を形成し、これらの切裂片を押し拡げて差込口を形成し、次に、注出口栓を捻ることにより、紙容器挟持部で差込口の切裂片の基部を挟持して注出口栓を紙容器に固定して注出口栓を紙容器に装着することで実現した。
【実施例】
【００２１】  本発明に係わる注出口栓Ａは、図１乃至図４に示すように、口栓部材１と蓋体２とから構成してある。口栓部材１は、口栓本体４と差込部５と差込口整形部６と紙容器挟持部７とを組み合わせて構成してある。口栓本体４は、図４に示すように、円筒形状の注ぎ口８ａを形成する口栓部８を備えており、この口栓部８の外周部には、その先側に位置させて環状の蓋体取付部９が形成してある。また、口栓部８の外周部には、注出口栓Ａの紙容器Ｂへの差込み装着時に、当該注出口栓Ａを捻り易くするための突条１０が周方向に複数形成してある。また、口栓部８の外周部には、その基側に位置させて鍔形状の押圧部１１が形成してある。【００２２】  差込部５は、図４に示すように、周方向に等間隔をおいて配列された三個の差込部位１２を備えており、これらの差込部位１２のそれぞれの基端側は、口栓本体４の口栓部８の押圧部１１の内径部に連ねてあり、そして、差込部位１２のそれぞれの先側を結合状態にすることにより、図２に示すように、差込部５は、差込み方向Ｘへ向かうに従って縮径する円錐状をなすものである。このために、差込部５には、隣り合う差込部位１２間が開口していて、それぞれの開口部１３が周方向に等間隔をおいて存在することになる。そして、各差込部位１２における注出口栓捻り方向Ｙ側に位置する辺縁部は、それぞれに開口部１３に臨むナイフ部１４にしてある。【００２３】差込部位１２のそれぞれの基端側には、上記した紙容器挟持部７が形成してある。図４に示すように、この紙容器挟持部７は、差込部位１２のそれぞれの基端側を正面く字形状に屈曲することにより、この屈曲部１５における前記ナイフ部１４に連なる辺縁部１５ａと、口栓部８の押圧部１１との間に楔形状の隙間部１８を形成して構成してある。また、差込部位１２のそれぞれの屈曲部１５は差込部５の周方向に等間隔をおいて配列されるものであり、これらの屈曲部１５は、差込部５の差込終端部における差込口整形部６を形成している。【００２４】  また、図５に示すように、口栓本体４の口栓部８の内周部には、図２に示す差込み方向Ｘに沿う突条部１６が周方向に等間隔に形成してあり、これらの突条部１６は差込部位１２のそれぞれの基端側の屈曲部１５の内面側に位置しており、突条部１６には差込み方向Ｘに沿う空気孔１７が貫通状態で形成してある。【００２５】上記した蓋体２は、図３乃至図４に示すように、円環形状の取付部２０にヒンジ部２１を介して蓋部２２を取付けて構成してある。そして、取付部２０を口栓部材１の蓋体取付部９を嵌め込んで蓋体２が口栓部材１に取付けてあり、蓋部２２側はヒンジ部２１で折曲げられていて、蓋部２２は注ぎ口８ａを開閉可能に閉じている。また、図８に示すように、口栓部材１の押圧部１１の押圧面には、パッキン装着用のパッキン装着溝１１ａが形成してある。【００２６】  次に、上記のように構成された注出口栓Ａの紙容器Ｂへの装着及びこの装着の解除を説明する。図１に示すように、注出口栓Ａの差込部５を紙容器Ｂの頂面部Ｂ−１に突刺して押し込むことにより、三個の各差込部位１２のナイフ部１４が頂面部Ｂ−１を切断することによって、図９に示すように、頂面部Ｂ−１に三個の三角形状の舌片状の切裂���Ｄを形成し、これらの切裂片Ｄを押し拡げて差込口Ｃを形成すると共に、上記した差込口整形部６が差込口Ｃを整形するし、さらに、パッキン２３が口栓部８の押圧部１１に押え付けられて紙容器Ｂの頂面部Ｂ−１に当接するようになる。【００２７】  次に、図９に示すように、注出口栓Ａを捻ることにより、上記した紙容器挟持部７で差込口Ｃの切裂片Ｄの基部を挟持して、図１に示すように、注出口栓Ａを紙容器Ｂに固定して注出口栓Ａを紙容器Ｂに装着する。すなわち、注出口栓Ａを捻ることにより、切裂片Ｄの基部が、ナイフ部１４に連なる辺縁部１５ａに接しながら、この辺縁部１５ａと口栓部８の押圧部１１とがなす楔形状の隙間部１８に入り込み、注出口栓Ａを紙容器Ｂに固定する。【００２８】  次に、蓋体２を口栓部材１の蓋体取付部９から外して、口栓部材１の注ぎ口８ａを開けて、例えば、この注ぎ口８ａから紙容器Ｂの内部にストロー（図示せず）を差し込み、紙容器Ｂ内の内容物である飲物を吸い出すか、または、紙容器Ｂを傾けて飲物をコップ（図示せず）等に移した際、紙容器Ｂ外に出された飲物の容量に相当する分量、大気圧により紙容器Ｂの胴部が収縮しようとするが、この時、注出口栓Ａに設けた空気孔１７から空気が紙容器Ｂ内部に吸い込まれることにより、紙容器Ｂの胴部の収縮は防止される。【００２９】  また、注出口栓Ａを紙容器Ｂから外す場合には、注出口栓Ａを、上記した装着の場合とは逆方向に捻ることにより、紙容器挟持部７の隙間部１８から差込口Ｃの切裂片Ｄの基部を外して、注出口栓Ａの紙容器Ｂへの固定を解除して注出口栓Ａを紙容器Ｂから引き抜く。【００３０】  上記したように、本発明の実施例１によれば、注出口栓Ａの差込部５を紙容器Ｂの頂面部Ｂ−１に突刺して押し込むことにより、三個の差込部位１２のナイフ部１４が頂面部Ｂ−１を切断することにより、頂面部Ｂ−１に三個の切裂片Ｄを形成し、これらの切裂片Ｄを押し拡げて差込口Ｃを形成し、次に、注出口栓Ａを捻ることにより、切裂片Ｄの基部が、ナイフ部１４に連なる辺縁部１５ａに接しながら、この辺縁部１５ａと口栓部８の押圧部１１とがなす楔形状の隙間部１８に入り込み、注出口栓Ａを紙容器Ｂに固定して注出口栓Ａを紙容器Ｂに装着することができる。このために、容器が紙製品であっても、注出口栓Ａを紙容器Ｂに強固に確実に固定することができ、また、当該注出口栓Ａを紙容器Ｂの任意の位置に取付けることができて、内容物である飲物を確実に注出することが可能になる。【００３１】  尚、本実施例では、容器が紙製品であっても、注出口栓を紙容器に強固に確実に固定することができ、また、当該注出口栓を紙容器の任意の位置に取付けることができて、内容物である飲物を確実に注出することができるという効果を有し、牛乳、ジュースに限らず液体を内容物とした紙容器の注出口栓として有用である。
【符号の説明】
【００３２】Ａ      注出口栓
Ｂ      紙容器
Ｂ−１  頂面部
Ｃ      差込口
Ｄ      切裂片
１      口栓部材
４      口栓本体
５      差込部
６      差込口整形部
７      紙容器挟持部
８      口栓部
１１    押圧部
１２    差込部位
１３    開口部
１４    ナイフ部
１５    屈曲部
１６    突条部
１７    空気孔
１８    隙間部
【図１】
2012240752.tif 000003
【図２】
2012240752.tif 000004
【図３】
2012240752.tif 000005
【図４】
2012240752.tif 000006
【図５】
2012240752.tif 000007
【図６】
2012240752.tif 000008
【図７】
2012240752.tif 000009
【図８】
2012240752.tif 000010
【図９】
2012240752.tif 000011